【手続補正書】
【提出日】平成16年12月10日(2004.12.10)
【手続補正１】
【補正対象書類名】特許請求の範囲
【補正対象項目名】全文
【補正方法】変更
【補正の内容】
【特許請求の範囲】
【請求項１】
マルチキャリア信号からキャリア信号成分を抽出する第１手段；および
前記キャリア信号成分をフィルタリングして、復調されかつフィルタがかけられたマルチ帯域幅信号を発生する第２手段とを具備し、
前記第２手段は、前記マルチパルスキャリア信号のパルス波形をマッチさせるための無限インパルス応答（ＩＩＲ）フィルタを含み、
前記第２手段はさらに前記マルチキャリア信号上の前置イコライズ効果を補償し、位相の非線形性を最小にする手段を含み、
前記ＩＩＲフィルタは、前記キャリア信号成分をロウパスフィルタするための１×ロウパスフィルタとして採用される５次の楕円ＩＩＲフィルタであり、前記キャリア信号成分は、周波数が分離された３つのデータストリームを定義し、
前記ＩＩＲフィルタはカスケードダイレクトフォームＩＩ構造を有し、前記ＩＩＲフィルタは、以下の伝達関数により特徴づけられ、
【数１】
2005501436.tif 000001
但し、α００、α０１、α０２、α１１、α２１、α２２、β００、β０１、β０２、β１０、β１１、β２０、β２１、およびβ２２は所定の定数であり、ｚは複素変数である、マルチキャリア信号を採用する無線通信システムのためのフィルタ。
【請求項２】
【数２】
2005501436.tif 000002
である、請求項１のフィルタ。
【請求項３】
マルチキャリア信号からキャリア信号成分を抽出する第１手段；および
前記キャリア信号成分をフィルタリングして、復調されかつフィルタがかけられたマルチ帯域幅信号を発生する第２手段とを具備し、
前記第２手段は、前記マルチパルスキャリア信号のパルス波形をマッチさせるための無限インパルス応答（ＩＩＲ）フィルタを含み、
前記第２手段はさらに前記マルチキャリア信号上の前置イコライズ効果を補償し、位相の非線形性を最小にする手段を含み、
前記ＩＩＲフィルタは、前記キャリア信号成分をロウパスフィルタするための１×ロウパスフィルタとして採用される５次の楕円ＩＩＲフィルタであり、前記キャリア信号成分は、周波数が分離された３つのデータストリームを定義し、
前記ＩＩＲフィルタはカスケードダイレクトフォームＩＩ構造を有し、
前記ＩＩＲフィルタのノードにおいてオーバーフローを回避する手段をさらに含む、マルチキャリア信号を採用する無線通信システムのためのフィルタ。
【請求項４】
前記オーバーフローを回避する手段は、Ｌ無限ノルムに従って、前記ノードにおいて信号値に倍率をかける手段を含む、請求項３のフィルタ。
【請求項５】
前記倍率をかける手段は、シフトおよび加算をすることにより乗算する乗算器を含む、請求項４のフィルタ。
【請求項６】
前記フィルタのレジスタは１１Ｑ６のビット幅を持つ、請求項５のフィルタ。
【請求項７】
前記ＩＩＲの加算器は飽和タイプの加算器である、請求項６のフィルタ。
【請求項８】
無線周波数（ＲＦ）／中間周波数（ＩＦ）変換回路およびＩＦ／ベースバンド変換回路を有する受信セクション；
第１データストリームをフィルタリングする第１ロウパスフィルタと、回転子に接続される位相アキュムレータと、前記回転子により出力される第２データストリームをフィルタリングするための第２ロウパスフィルタと、および前記回転子により出力される第３データストリームをフィルタリングする第３ロウパスフィルタとを有し、前記受信セクションと通信するマルチキャリアフィルタ；および
前記第１ロウパスフィルタ、前記第２ロウパスフィルタ、および前記第３ロウパスフィルタに接続された移動局モデム（ＭＳＭ）；
とを具備する無線通信システムのための受信器。
【請求項９】
前記回転子は入力複素信号を時計方向または反時計方向に回転し、それぞれ前記第２および第３のデータストリームを発生する、請求項８の受信器。
【請求項１０】
前記受信セクションは、前置イコライズ補償回路を含む移動アナログ受信セクション（ＭＡＲＳ）受信器フロントエンド回路を含む、請求項８の受信器。
【請求項１１】
前記受信セクションのモードに従って前記ＭＡＲＳ前置イコライズ補償回路を選択的にバイパスする手段をさらに含む、請求項１０の受信器。
【請求項１２】
前記第１、第２および第３ロウパスフィルタは各々、それぞれ前記第１、第２および第３データストリームをロウパスフィルタリングするのを容易にするために楕円無限インパルス応答（ＩＩＲ）フィルタを含む、請求項１１の受信器。
【請求項１３】
前記楕円ＩＩＲフィルタは第１セクション、第２セクション、および第３セクションを含む、請求項１２の受信器。
【請求項１４】
前記第１のセクションは第１加算器を含み、前記第１加算器の出力は、第１デジタル遅延および第１スケーリング回路（β００）に接続され、β００の出力は第２加算器の第１入力に接続され、前記第１デジタル遅延の出力は、第２デジタル遅延の入力、第２スケーリング回路（−α０１）の入力、および第３スケーリング回路（β０１）の入力に接続され、前記第２デジタル遅延の第１出力は第４スケーリング回路（−α０２）の入力および第５スケーリング回路（β０２）に接続され、第２スケーリング回路（−α０１）および第４スケーリング回路（−α０２）の出力は前記第１加算器の入力に接続され、第３スケーリング回路（β０１）および第５スケーリング回路（β０２）の出力は前記第２加算器の入力に接続され、前記第２加算器の出力は前記第１セクションの出力を表し、前記第１加算器の入力は前記第１セクションの入力を表す、請求項１３の受信器。
【請求項１５】
前記第２セクションは、前記第１セクションと第３セクションの間に位置し、前記第２デジタル遅延および前記第４および第５スケーリング回路が省略されていることを除いて、前記第２セクションは前記第１セクションに類似し、
前記第３セクションの第１、第２および第３スケーリング回路に相関する１つ以上の値が、前記第１セクションの第１、第２および第３スケーリング回路に相関する対応する値と異なる、請求項１４の受信器。
【請求項１６】
前記第２セクションの前記第１、第２、第３、第４および第５スケーリング回路に相関する１つ以上の値が、前記第１セクションの前記第１、第２、第３、第４および第５スケーリング回路と異なることを除いて、前記第３セクションは前記第１セクションに類似する、請求項１５の受信器。
【請求項１７】
マルチキャリア信号からデータストリームを分離する第１手段；および
それに応答して前記分離されたデータストリームをフィルタリングし、フィルタリングされた出力信号を発生する第２手段とを具備し、
前記分離されたデータストリームは、中央データストリーム、左データストリーム、および右データストリームを含み、前記第２手段は、前記中央データストリーム、前記左データストリーム、および前記右データストリームをフィルタリングし、信号対雑音比を最大にする３×マルチキャリアフィルタを含む、マルチキャリアフィルタ。
【請求項１８】
前記３×マルチキャリアフィルタは、前記中央データストリームをフィルタリングする第１ロウパスフィルタ、前記右データストリームをフィルタリングする第２ロウパスフィルタ、および前記左データストリームをフィルタリングする第３ロウパスフィルタを含み、前記第１、第２および第３ロウパスフィルタは各々１×帯域幅前置イコライズを補償する手段と、受信したマルチキャリア信号に相関するパルス整形に適合する手段を含む、請求項１７のマルチキャリアフィルタ。
【請求項１９】
前記適合する手段および前記補償する手段は楕円ロウパスインパルス応答（ＩＩＲ）フィルタを含む、請求項１８のマルチキャリアフィルタ。
【請求項２０】
前記ロウパスＩＩＲフィルタは縦続接続された低次サブフィルタを有する５次の楕円ＩＩＲフィルタである請求項１９のマルチキャリアフィルタ。
【請求項２１】
前記ロウパスＩＩＲフィルタの伝達関数は、キャリア間干渉、チップ間干渉および雑音を説明する所定の誤差測定基準に適合するように選択される、請求項２０のマルチキャリアフィルタ。